(57)【要約】【課題】そのフェース板の交換が簡単で道具を必要としない上、交換されたフェース板がそのヘッド本体から外れないことで、紛失のおそれがないゴルフパターヘッドを提供することを目的とする。【解決手段】ヘッド本体と、前記ヘッド本体に、その一面がパット面とされるように取り付けられているフェース板ユニットと、からなっているゴルフパターヘッドにおいて、前記フェース板ユニットは、その軸線を取り囲んでいる複数の側面を有する上、該軸線を中心に回転されて前記複数の側面のいずれかを前記一面とすることができるように、前記ヘッド本体に軸支されているゴルフパターヘッド。【選択図】図３a
2011015800.tif 000002
【特許請求の範囲】
【請求項１】
ヘッド本体と、前記ヘッド本体に、その一面がパット面とされるように取り付けられているフェース板ユニットと、からなっているゴルフパターヘッドにおいて、
前記フェース板ユニットは、その軸線を取り囲んでいる複数の側面を有する上、該軸線を中心に回転されて前記複数の側面のいずれかを前記一面とすることができるように、前記ヘッド本体に軸支されていることを特徴とするゴルフパターヘッド。
【請求項２】
その、パットをする方の面に開口が設けてあるヘッド本体と、
前記ヘッド本体に、その一面が前記開口を塞いでパット面とするように取り付けられているフェース板ユニットと、からなっているゴルフパターヘッドにおいて、
前記フェース板ユニットは、その軸線を取り囲んでいる複数の側面を有する上、該軸線を中心に回転されて前記複数の側面のいずれかを前記一面とすることができるように、前記ヘッド本体に、軸支されていることを特徴とするゴルフパターヘッド。
【請求項３】
前記フェース板ユニットは、軸支機構によって前記ヘッド本体に軸支されており、
前記軸支機構は、前記ヘッド本体及び前記フェース板ユニットのいずれか一つに開けてある軸孔で、他の一つに形成してある軸手段を受けてなっているものであることを特徴とする請求項２に記載のゴルフパターヘッド。
【請求項４】
前記ヘッド本体は、パットをする際にソールとなるソール面を有し、
前記軸孔と前記軸手段とによる軸支は、前記ソール面とほぼ平行する方向になされていることを特徴とする請求項３に記載のゴルフパターヘッド。
【請求項５】
前記開口は、前記ソール面とほぼ平行する上下両面と、前記ソール面とほぼ垂直の方向にある左右両面と、を有し、
前記フェース板ユニットは、前記複数の側面を両端から連結している左右両端面を有する上、前記ヘッド本体に、前記軸線が前記ソール面とほぼ平行するように軸支されており、
また、前記軸孔と前記軸手段とによる軸支は、前記開口の左右両面の少なくとも一つと、前記フェース板ユニットの左右両端面中のそれと対応する少なくとも一つとの間になされていることを特徴とする請求項４に記載のゴルフパターヘッド。
【請求項６】
前記開口は、前記ソール面とほぼ垂直の方向にある左右両面と、前記ソール面とほぼ平行する下面と、前記下面に対面している上開口と、を有し、
前記フェース板ユニットは、前記複数の側面を両端から連結している左右両端面を有する上、前記ヘッド本体に、前記軸線が前記ソール面とほぼ平行するように軸支されており、
また、前記軸孔と前記軸手段とによる軸支は、前記左右両面の少なくとも一つと、前記左右両端面中のそれと対応する少なくとも一つとの間になされていることを特徴とする請求項４に記載のゴルフパターヘッド。
【請求項７】
前記開口は、前記ソール面とほぼ垂直の方向にある左右両面と、前記ソール面とほぼ平行する上面と、前記上面に対面している下開口と、を有し、
前記フェース板ユニットは、前記複数の側面を両端から連結している左右両端面を有する上、前記ヘッド本体に、前記軸線が前記ソール面とほぼ平行するように軸支されており、
また、前記軸孔と前記軸手段とによる軸支は、前記左右両面の少なくとも一つと、前記左右両端面中のそれと対応する少なくとも一つとの間になされていることを特徴とする請求項４に記載のゴルフパターヘッド。
【請求項８】
前記ヘッド本体は、パットをする際にソールとなるソール面を有し、
前記軸孔と前記軸手段との軸支は、前記ソール面とほぼ垂直になる方向になされていることを特徴とする請求項３に記載のゴルフパターヘッド。
【請求項９】
前記開口は、前記ソール面とほぼ平行する上下両面と、前記ソール面とほぼ垂直の方向にある左右両面と、を有し、
前記フェース板ユニットは、前記複数の側面を両端から連結している上下両端面を有する上、前記ヘッド本体に、前記軸線が前記ソール面とほぼ垂直になるように軸支されており、
また、前記軸孔と前記軸手段とによる軸支は、前記上下両面の少なくとも一つと、前記上下両端面中のそれと対応する少なくとも一つとの間になされていることを特徴とする請求項８に記載のゴルフパターヘッド。
【請求項１０】
前記軸孔の前記軸手段に対する軸支は、前記フェース板ユニットの、前記パット面にされる前記一面が、前記開口の周壁に挟まれて回転できないようになる係止位置と、前記開口の周壁に挟まれる係止位置からずれて回転できるようになる非係止位置との間で移動できるように構成されていることを特徴とする請求項３から請求項９までのいずれか一項に記載のゴルフパターヘッド。
【請求項１１】
前記軸孔は、長孔となり、
前記軸手段は、前記長孔に前記係止位置と前記非係止位置との間で移動できるように挿入されていることを特徴とする請求項１０に記載のゴルフパターヘッド。
【請求項１２】
前記軸手段は、前記係止位置において仮固定されることができるように構成されていることを特徴とする請求項１１に記載のゴルフパターヘッド。
【請求項１３】
前記ヘッド本体は、両平面を有する平板体となり、
前記フェース板ユニットは、軸支機構によって前記ヘッド本体の両面の内、いずれか一側面に軸支され、
また、前記軸支機構は、前記ヘッド本体及び前記フェース板ユニットのいずれか一つに開けてある軸孔で、他の一つに形成してある軸手段を受けてなっているものであることを特徴とする請求項１に記載のゴルフパターヘッド。
【請求項１４】
前記フェース板ユニットは、前記複数の側面を両端から連結している上下両端面を有し、
前記軸孔は、前記ヘッド本体に開けてある通孔であり、
前記軸手段は、前記フェース板ユニットの前記上下両端面のうち、前記ヘッド本体と隣り合っている一端面に形成されている突起体であり、
前記突起体は、前記通孔を、回転可能に挿通する上、仮固定されていることを特徴とする請求項１３に記載のゴルフパターヘッド。
【請求項１５】
前記フェース板ユニットにおける複数の側面のいずれにも、フェース板が設けられていることを特徴とする請求項１から請求項１４までのいずれか一項に記載のゴルフパターヘッド。
【請求項１６】
前記フェース板ユニットにおける複数の側面のいずれにも、窪みが形成されており、該窪みには、フェース板が嵌めこまれていることを特徴とする請求項１から請求項１４までのいずれか一項に記載のゴルフパターヘッド。
【発明の詳細な説明】
【技術分野】
【０００１】
本発明は、ゴルフパターヘッドに関し、特に、そのフェース板が交換使用できるゴルフパターヘッドに関する。
【背景技術】
【０００２】
ゴルフパターとは、グリーンでボールを転がすパットと呼ばれる打撃を行うためのものである。平坦で傾斜のないグリーンは少なく、大抵は傾斜や複雑な芝目がある場合が多いので、ボールをより少ない打数でホールと呼ばれる穴に入れさせるため、それぞれフェース板のパット面の素性が違う、複数のゴルフパターを用意しなければならない。しかし、ゴルフパターの本数を増やすと、打球の途中でゴルフクラブセットを運ぶことが大変なためゴルファーの負担になり、それ故に、フェース板を交換することができるゴルフパターヘッドが開発され使用されている。
【０００３】
従来の、フェース板が交換使用できるゴルフパターヘッドは、通常、図２１に示したように、ヘッド本体１１とフェース板１２とからなっている。ヘッド本体１１は、その、パットをする方の面に切欠による開口１１０が設けてあり、該開口１１０の、パットをする方の奥面１１１に更に錘収容溝１１２が設けてあり、この錘収容溝１１２は図中の上方が開いており、また、図中の下方である、パットをする際にソールとなるソール面１１３の方に該ソール面１１３と連通している係止穴１１４が設けてある。それに対し、フェース板１２は、その背面１２１の一部に、ゴルフパターヘッド全体の重心を調整するためのものであって、上から下へと延伸している錘１２２が設けられており該錘１２２の図中における下方側の周縁に、錘１２２が錘収容溝１１２に入れられると係止穴１１４に嵌まり、係止される突起部(図示せず)が設けてある。このような構造により、錘１２２を錘収容溝１１２に入れ、突起部が係止穴１１４に嵌まって係止されると、フェース板１２は、開口１１０を塞ぎ、その正面１２０をパット面とすることができる。そして、フェース板１２をグリーンの地形に応じて交換しようとする際、まず、道具(図示せず)を係止穴１１４に挿入することにより、突起部を係止穴１１４から、また、錘１２２を錘収容溝１１２から、即ち、フェース板１２全体をヘッド本体１１から外した後、他のフェース板を入れて交換することができる(特許文献１参照)。
【０００４】
また、図２２に示した他のゴルフクラブヘッドには、フェース板２３が、ねじ２４でヘッド本体２１に固定されている補強体２２とかしめにより一体になっているので、このゴルフクラブヘッドのフェース板２３を交換しようとする時、まず、ねじ２４を緩めてから元のフェース板２３をその補強体２２と共に外した後、他のフェース板をその補強体と共に取り付けることができる(特許文献２参照)。
【０００５】
しかしながら、この従来の２種類のゴルフクラブヘッドのフェース板交換は、いずれも道具を使用しなければならないので、不便である上、交換されたフェース板がヘッド本体１１から外れるので、紛失のおそれもあるなど、色々な問題がある。
【先行技術文献】
【特許文献】
【０００６】
【特許文献１】台湾実用新案公告第４３９５１７号
【特許文献２】台湾実用新案公告第１９３８７９号
【発明の概要】
【発明が解決しようとする課題】
【０００７】
前記問題点を解消するために、本発明は、そのフェース板の交換が簡単で道具などを必要としない上、交換されたフェース板がそのヘッド本体から外れないことで、紛失のおそれがないゴルフパターヘッドを提供することを目的とする。
【課題を解決するための手段】
【０００８】
前記目的を達成するために、本発明は、ヘッド本体と、前記ヘッド本体に、その一面がパット面とされるように取り付けられているフェース板ユニットと、からなっているゴルフパターヘッドにおいて、前記フェース板ユニットは、その軸線を取り囲んでいる複数の側面を有する上、該軸線を中心に回転されて前記複数の側面のいずれかを前記一面とすることができるように、前記ヘッド本体に軸支されているゴルフパターヘッドを提供する。特に、その、パットをする方の面に開口が設けてあるヘッド本体と、前記ヘッド本体に、その一面が前記開口を塞いでパット面とするように取り付けられているフェース板ユニットと、からなっているゴルフパターヘッドにおいて、前記フェース板ユニットは、その軸線を取り囲んでいる複数の側面を有する上、該軸線を中心に回転されて前記複数の側面のいずれかを前記一面とすることができるように、前記ヘッド本体に、軸支されているゴルフパターヘッドをも提供する。
【０００９】
前記軸線を取り囲んでいる複数の側面は、他のフェース板を介しても、あるいは介しなくてもパット面とすることができ、その設計により決定され得る。
【００１０】
また、このゴルフパターヘッドの重心を調整するための錘は、前記従来例のように、フェース板ユニットにおける前記フェース板または前記側面の背面に取り付けられても良いが、フェース板ユニットのフェース板でない箇所、ないし、ゴルフパターヘッドのフェース板ユニットでない箇所に取り付けられても良い。しかし、この出願は、ゴルフパターヘッドの重心を調整するための発明にかかる出願ではないので、以下錘やそれを取り付ける箇所について説明しない。
【発明の効果】
【００１１】
前記構成によるゴルフパターヘッドは、そのフェース板ユニットが回転されてそのいずれかの側面をパット面とすることができるので、パット面交換時に道具を必要としない上、交換のためヘッド本体から外れるものもないので、フェース板などの紛失、というおそれがまったくない。
【図面の簡単な説明】
【００１２】
【図１】本発明の第１実施形態のゴルフパターヘッドの、パットをする際の正面図である。
【図２】図１のゴルフパターヘッドの、後ろからみた斜視図である。
【図３ａ】図１のゴルフパターヘッドの、側面からみた断面図である。
【図３ｂ】図１のゴルフパターヘッドの、側面からみた断面図である。
【図４】本発明の第２実施形態のゴルフパターヘッドの、パットをする際の正面図である。
【図５】本発明の第３実施形態のゴルフパターヘッドの、パットをする際の正面図である。
【図６】本発明の第４実施形態のゴルフパターヘッドの、パットをする際の正面図である。
【図７】図６のゴルフパターヘッドの上面図である。
【図８】本発明の第５実施形態のゴルフパターヘッドの、パットをする際の正面図である。
【図９】本発明の第６実施形態のゴルフパターヘッドの、パットをする際の正面図である。
【図１０】図９のゴルフパターヘッドの、後ろからみた斜視図である。
【図１１】図９のゴルフパターヘッドの、側面からみた断面図である。
【図１２】本発明の第７実施形態のゴルフパターヘッドの、側面からみた断面図である。
【図１３】本発明の第８実施形態のゴルフパターヘッドの、パットをする際の正面図である。
【図１４】図１３のゴルフパターヘッドの、側面からみた断面図である。
【図１５】本発明の第９実施形態のゴルフパターヘッドの、パットをする際の正面図である。
【図１６】図１５のゴルフパターヘッドの、側面からみた断面図である。
【図１７】本発明の第１０実施形態のゴルフパターヘッドの、パットをする際の正面図である。
【図１８】本発明の第１１実施形態のゴルフパターヘッドの、パットをする際の正面図である。
【図１９】本発明の第１２実施形態のゴルフパターヘッドの、パットをする際の正面図である。
【図２０】図１９のゴルフパターヘッドの、側面からみた断面図である。
【図２１】特許文献１のゴルフパターヘッドの分解構成図である。
【図２２】特許文献２のゴルフクラブヘッドの分解構成図である。
【発明を実施するための形態】
【００１３】
以下の説明において、類似する部分には同じ符号をつける。
【００１４】
図１〜図２０に示したように、本発明の、第１実施形態〜第１２実施形態のいずれにおけるゴルフパターヘッド３も、ヘッド本体４と、ヘッド本体４に、その一面がパット面とされるように取り付けられているフェース板ユニット５と、からなっている。
【００１５】
フェース板ユニット５は、その軸線(Ｘ)を取り囲んでいる複数の側面５０を有する上、軸支機構６によって、該軸線(Ｘ)を中心に回転されて複数の側面５０のいずれかを前記一面とすることができるように、ヘッド本体４に軸支されている。即ち、フェース板ユニット５は、回転されてその複数の側面５０のいずれかをパット面とすることができるように、ヘッド本体４に軸支されている。
【００１６】
まず、図１〜図３に示した第１実施形態を詳しく説明する。
【００１７】
第１実施形態のゴルフパターヘッド３全体、特に、それにおけるヘッド本体４は、側面Ｌ形のものであって、該Ｌ形における直立部となる、フェース板ユニット５の取付け部４１と、平面部となる基部４２とからなっている。取付け部４１の、パットをする方の面には、開口４１０が設けてあり、また、基部４２の、パットをする際にソールとなる底面については、以下ソール面４２０と呼ぶとする。そして、開口４１０は、ソール面４２０とほぼ平行する上下両面４１１、４１２と、ソール面４２０とほぼ垂直の方向にある左右両面４１３、４１４と、を有する。
【００１８】
次いで、フェース板ユニット５は、正三角柱であって、左右に伸びる軸線(Ｘ)を取り囲み等しい面積を有する三つの側面５０と、該三つの側面５０を左右両端から連結している左右両端面５３、５４とを有し、且つ、軸支機構６により、その軸線(Ｘ)がソール面４２０とほぼ平行する上、回転されて前記三つの側面５０のいずれか一面で開口４１０を塞いでパット面となることができるように、ヘッド本体４に軸支されている。
【００１９】
もちろん、フェース板ユニット５は、正三角柱の代わりに、場合により、三角柱や、四角柱(または正四角柱)、五角柱(正五角柱)を採用しても良い。
【００２０】
また、この実施形態におけるフェース板ユニット５の、パット面とされる面は、フェース板ユニット５の本体５１と別体になっており、フェース板ユニット５の本体５１に取り付けられているフェース板５２からなっている。つまり、フェース板ユニット５における三つの側面５０のいずれにも、窪み５１０が形成されており、該窪み５１０には、フェース板５２が嵌めこまれている上、これらのフェース板５２は、それぞれの設定素性により、アルミニウムや、鉄、チタン、アクリロニトリルブタジエンスチレン(ＡＢＳ樹脂)などからなっている。しかし、場合により、フェース板ユニット５の、パット面とされる各面は、加工により、直接にフェース板ユニット５における三つの側面５０に形成されても良く、即ち、パット面とされる各面は、それぞれフェース板５２を介さず、フェース板ユニット５の本体と一体になっても良い。
【００２１】
次いで、この実施形態における軸支機構６は、一対の軸孔６１で一対の軸手段６２を受けてなっているものである。一対の軸孔６１は、図示のように、ヘッド本体４の取付け部４１における開口４１０の左右両面４１３、４１４に開けてある。また、一対の軸手段６２は、フェース板ユニット５の左右両端面５３、５４に形成してある。即ち、本実施形態においては、軸孔６１と軸手段６２とによる軸支は、ソール面４２０とほぼ平行する方向においてなされ、開口４１０の左右両面４１３、４１４と、フェース板ユニット５の左右両端面５３、５４との間においてそれぞれなされている。
【００２２】
また、軸孔６１と軸手段６２とによる軸支は、係止位置と、非係止位置との間に移動することができるように構成されている。図１〜図３には示されていないが、図１０に参照されるように、本実施形態における軸孔６１は、前記正面と垂直になる方向に、前後に伸びている長孔となり、軸手段６２は、前記長孔に係止位置と非係止位置との間を移動できるように挿入されている。ここで言う係止位置とは、図３(ａ)に示したように、フェース板ユニット５の、前記パット面になる三つの側面５０のいずれか一面が、開口４１０の周壁(即ち、開口４１０の上下両面４１１、４１２及び左右両面４１３、４１４)に挟まれて回転できないようになる仮固定位置であり、また、非係止位置とは、図３(ｂ)に示したように、開口４１０の周壁に挟まれる係止位置からずれて回転できるようになるルーズ位置である。
【００２３】
本実施形態における、軸孔６１と軸手段６２とによる軸支は、以上の構成からなされるため、フェース板５２を交換しようとする際に、道具を必要とせず、ただ軸手段６２を仮固定となる係止位置から回転できる非係止位置に移動させてから、軸線(Ｘ)を中心としてフェース板ユニット５を回転させることで、簡単に元のフェース板５２を他のフェース板５２に交換し、そしてまた、軸手段６２を回転できる非係止位置から仮固定となる係止位置に移動させることで交換作業が済む。
【００２４】
なお、グリーンでボールをパットする際、前記フェース板ユニット５が前記係止位置に置かれているので、ボールをパットする際に加えられる力によって回転されることはなく、またグリーンでボールをパットする際に加えられる力が非常に弱いため、軸手段６２を係止位置から非係止位置に移動させることもできない。
【００２５】
次に第２実施形態を説明する。
【００２６】
図４に示したように、第２実施形態のゴルフパターヘッド３は、そのヘッド本体４における開口４１０が、ソール面４２０とほぼ垂直の方向にある左右両面４１３、４１４と、ソール面４２０とほぼ平行する下面４１２と、下面４１２に対面している上開口４１５とを有すること以外、他の構成が全て第１実施形態のゴルフパターヘッド３と同様である。
【００２７】
次に第３実施形態を説明する。
【００２８】
図５に示したように、第３実施形態のゴルフパターヘッド３は、そのヘッド本体４における開口４１０が、ソール面４２０とほぼ垂直の方向にある左右両面４１３、４１４と、ソール面４２０とほぼ平行する上面４１１と、上面４１１に対面している下開口４１６とを有すること以外、他の構成が全て第１実施形態のゴルフパターヘッド３と同様である。
【００２９】
次に第４実施形態を説明する。
【００３０】
図６及び図７に示したように、第４実施形態のゴルフパターヘッド３は、そのヘッド本体４における開口４１０が、ソール面４２０とほぼ垂直の方向にある左右両面４１３、４１４と、第２実施形態の上開口４１５及び第３実施形態の下開口４１６とを有すること以外、他の構成が全て第１実施形態のゴルフパターヘッド３と同様である。
【００３１】
次に第５実施形態を説明する。
【００３２】
図８に示したように、第５実施形態のゴルフパターヘッド３は、そのフェース板ユニット５における三つの側面５０のいずれにも、該側面５０全体を覆っているフェース板５２が設けられていること以外、他の構成が全て第１実施形態のゴルフパターヘッド３と同様である。
【００３３】
次に第６実施形態を説明する。
【００３４】
図９〜図１１に示したように、第６実施形態のゴルフパターヘッド３は、前記第１実施形態〜第５実施形態と同じように、ヘッド本体４と、フェース板ユニット５と、からなっているが、そのフェース板ユニット５は、軸線(Ｘ)がソール面４２０と平行するのではなく、垂直となっているので、軸線(Ｘ)を取り囲んでいる複数(三つ)の側面５０と、複数(三つ)の側面５０を上下両端から連結している上下両端面５５、５６とからなっている。
【００３５】
また、本実施形態における軸支機構６は、一つの軸孔６１で一つの軸手段６２を受けてなっているものである。軸孔６１は、長孔であり、ヘッド本体４の取付け部４１における開口４１０の上面４１１に開けてある。軸手段６２は、フェース板ユニット５の上端面５５に形成してある。即ち、本実施形態において、軸孔６１と軸手段６２とによる軸支は、ソール面４２０とほぼ垂直の方向になされ、開口４１０の上面４１１と、フェース板ユニット５の上端面５５との間になされている。
【００３６】
第６実施形態のゴルフパターヘッド３における他の構成は、全て第１実施形態のゴルフパターヘッド３と同様である。
【００３７】
次に第７実施形態を説明する。
【００３８】
図１２に示したように、第７実施形態のゴルフパターヘッド３において、その軸支機構６の構成以外、他の構成が全て第６実施形態のゴルフパターヘッド３と同様である。
【００３９】
本実施形態における軸支機構６は、一つの軸孔６１で一つの軸手段６２を受けてなっているものである。軸孔６１は、フェース板ユニット５の上端面５５に形成してある。軸手段６２は、球状部６２１と、ばね部６２２とからなっており、球状部６２１は軸孔６１にその一部が突出するように置かれており、ばね部６２２は開口４１０の上面４１１に開けてあるばね収容部４１７にその一端が係止されるように入る上、ばね部６２２の他端である突出端で球状部６２１を突っ張らせた状態を保持している。即ち、本実施形態において、軸孔６１と軸手段６２とによる軸支は、ソール面４２０とほぼ垂直の方向になり、開口４１０の上面４１１と、フェース板ユニット５の上端面５５との間になされている。
【００４０】
また、本実施形態における、軸孔６１と軸手段６２とによる軸支は、係止位置がなく、常に非係止状態になっているので、フェース板５２を交換する際に、直接に軸線(Ｘ)を中心として(即ち、軸孔６１を中心として)フェース板ユニット５を回転させることで交換作業が済み、軸手段６２の移動をする必要がない。
【００４１】
次に第８実施形態を説明する。
【００４２】
図１３及ぶ図１４に示したように、第８実施形態のゴルフパターヘッド３におけるヘッド本体４は、上下両平面４３１、４３２を有する平板体４３と、フェース板ユニット５を後部から覆っているカバー部４４とからなっている。
【００４３】
また、フェース板ユニット５は、軸支機構６によってヘッド本体４の下平面４３２側に軸支されている。軸支機構６は、一つの軸孔６１で一つの軸手段６２を受けてなっているものである。軸孔６１は、ヘッド本体４の平板体４３に開けてある通孔であり、軸手段６２は、フェース板ユニット５の、ヘッド本体４と隣り合っている上端面５５に形成されている突起体である。前記突起体は、ねじのある軸であり、前記通孔を、回転可能に挿通する上、ナット７により仮固定されている。
【００４４】
第８実施形態のゴルフパターヘッド３における他の構成は、全て第６実施形態のゴルフパターヘッド３と同様である。
【００４５】
本実施形態のフェース板５２を交換する際に、道具を必要とせず、手でナット７を緩めてから、軸線(Ｘ)を中心としてフェース板ユニット５を回転させることで、簡単に元のフェース板５２を他のフェース板５２に変換することができる。
【００４６】
次に第９実施形態を説明する。
【００４７】
図１５及び図１６に示したように、第９実施形態のゴルフパターヘッド３においては、ヘッド本体４が、両平面４３１、４３２を有する平板体４３であることと、フェース板ユニット５が、軸支機構６によってヘッド本体４の上平面４３１側に軸支されていることと、軸手段６２が、フェース板ユニット５の、ヘッド本体４と隣り合っている下端面５６に形成されている突起体であること以外、他の構成が全て第８実施形態のゴルフパターヘッド３と同様である。
【００４８】
次に第１０実施形態を説明する。
【００４９】
図１７に示したように、第１０実施形態のゴルフパターヘッド３は、その軸孔６１が、開口４１０の上面４１１に開けてある通孔であり、軸手段６２が、フェース板ユニット５の上端面５５に形成されている上、前記通孔を、回転可能に挿通してからナット７により仮固定されている突起体であること以外、他の構成が全て第６実施形態のゴルフパターヘッド３と同様である。
【００５０】
次に第１１実施形態を説明する。
【００５１】
図１８に示したように、第１１実施形態のゴルフパターヘッド３は、その軸孔６１が、開口４１０の下面４１２に開けてある通孔であり、軸手段６２が、フェース板ユニット５の下端面５６に形成されている上、前記通孔を、回転可能に挿通してからナット７により仮固定されている突起体であること以外、他の構成が全て第６実施形態のゴルフパターヘッド３と同様である。
【００５２】
最後に第１２実施形態を説明する。
【００５３】
図１９及び図２０に示したように、第１１実施形態のゴルフパターヘッド３におけるヘッド本体４は、上下２つの平面部と、上下２つの平面部を後ろから連結している直立部ととからなっているコ形のものであるが、該コ形の、開口を有する先端部は、前記のような、フェース板ユニット５の取付け部４１となり、直立部を有する後端部は、基部４２となっている。
【００５４】
即ち、フェース板ユニット５の取付け部４１は、パットをする方の面に開口４１０が設けてあり、パットをする際にソールとなる面にソール面４２０の一部となっている。また、基部４２はその一部が、パットをする際にソールとなる面として、ソール面４２０の他の一部となっている。
【００５５】
そして、開口４１０は、それぞれソール面４２０とほぼ平行な上下両面４１１、４１２を有する。
【００５６】
次いで、フェース板ユニット５は、軸支機構６により、その軸線(Ｘ)がソール面４２０とほぼ垂直で、且つ、その三つの側面５０のいずれか一面で開口４１０を塞いでパット面とすることができるように、ヘッド本体４に軸支されている。
【００５７】
また、軸支機構６は、一対の軸孔６１で一対の軸手段６２を受けてなっているものである。一対の軸孔６１は、上軸孔６１と下軸孔６１とからなっていて、それぞれがヘッド本体４の取付け部４１における開口４１０の上下両面４１１、４１２に開けてある。一対の軸手段６２は、それぞれがフェース板ユニット５の上下両端面５５、５６に形成してある。即ち、本実施形態において、軸孔６１と軸手段６２とによる軸支は、ソール面４２０とほぼ垂直の方向になり、開口４１０の上下両面と、フェース板ユニット５の上下両端面５５、５６との間にそれぞれなっている。
【００５８】
なお、この実施形態における軸孔６１の軸手段６２に対する軸支は、第７実施形態と同様に、係止位置がなく、常に非係止状態になっているので、フェース板５２を交換する際に、直接に軸線(Ｘ)を中心としてフェース板ユニット５を回転させることで交換作業が済み、軸手段６２の移動をする必要がない。
【産業上の利用可能性】
【００５９】
上述のように、本発明のゴルフパターヘッドは、そのフェース板ユニットが回転されてそのいずれかの側面をパット面とすることができるので、パット面交換時に道具を必要としない上、交換のためヘッド本体から外れるものもないので、フェース板などの紛失、というおそれがまったくない。
【符号の説明】
【００６０】
１１  ヘッド本体
１１０  開口
１１１  奥面
１１２  錘収容溝
１１３  ソール面
１１４  係止穴
１２  フェース板
１２０  正面
１２１  背面
１２２  錘
２１  ヘッド本体
２２  補強体
２３  フェース板
２４  ねじ
３  ゴルフパターヘッド
４  ヘッド本体
４１  取付け部
４１０  開口
４１１、４１２  上下両面
４１３、４１４  左右両面
４１５  上開口
４１６  下開口
４１７  ばね収容部
４２  基部
４２０  ソール面
４３  平板体
４３１、４３２  上下両平面
４４  カバー部
５  フェース板ユニット
５１  本体
５１０  窪み
５０  側面
５２  フェース板
５３、５４  左右両端面
５５、５６  上下両端面
６  軸支機構
６１  軸孔
６２  軸手段
６２１  球状部
６２２  ばね部
７  ナット
【図１】
2011015800.tif 000003
【図２】
2011015800.tif 000004
【図３ａ】
2011015800.tif 000005
【図３ｂ】
2011015800.tif 000006
【図４】
2011015800.tif 000007
【図５】
2011015800.tif 000008
【図６】
2011015800.tif 000009
【図７】
2011015800.tif 000010
【図８】
2011015800.tif 000011
【図９】
2011015800.tif 000012
【図１０】
2011015800.tif 000013
【図１１】
2011015800.tif 000014
【図１２】
2011015800.tif 000015
【図１３】
2011015800.tif 000016
【図１４】
2011015800.tif 000017
【図１５】
2011015800.tif 000018
【図１６】
2011015800.tif 000019
【図１７】
2011015800.tif 000020
【図１８】
2011015800.tif 000021
【図１９】
2011015800.tif 000022
【図２０】
2011015800.tif 000023
【図２１】
2011015800.tif 000024
【図２２】
2011015800.tif 000025